(57)【要約】  ＰｏＥの利便性を向上させる。  受電機器４０と、制御ユニット１０とを備えるＰｏＥ対応の制御システム１００において、制御ユニット１０が、受電機器４０に対する制御要求を受け付け（例えば、ステップＳ１０１）、受け付けた制御要求に基づいて、受電機器４０の識別情報と、複数種類の制御内容のうち少なくとも１つの制御内容とを含む制御情報を生成し（例えば、ステップＳ１０２）、生成した制御情報を、当該制御情報に含まれる識別情報に対応する受電機器４０に送信し（例えば、ステップＳ１０３）、受電機器４０が、制御ユニット１０により送信された制御情報を受信し（例えば、ステップＳ１０４）、受信した制御情報に含まれる制御内容を実行する（例えば、ステップＳ１０５）。
2015162646.tif 000002
【特許請求の範囲】
【請求項１】
受電機器と、制御ユニットとを備えるＰｏＥ対応の制御システムであって、
前記制御ユニットは、
前記受電機器に対する制御要求を受け付ける受付手段と、
該受付手段により受け付けられた制御要求に基づいて、前記受電機器の識別情報と、複数種類の制御内容のうち少なくとも１つの制御内容とを含む制御情報を生成する生成手段と、
該生成手段により生成された制御情報を、当該制御情報に含まれる識別情報に対応する前記受電機器に送信する送信手段とを含み、
前記受電機器は、
前記制御ユニットの送信手段により送信された制御情報を受信する受信手段と、
該受信手段により受信された前記制御情報に含まれる前記制御内容を実行する実行手段とを含む
ことを特徴とする制御システム。
【請求項２】
前記受電機器に給電する給電機器を備え、
該給電機器は、前記受電機器と前記制御ユニットとを接続する通信ケーブルを利用して当該受電機器に電力を供給する
請求項１記載の制御システム。
【請求項３】
前記受電機器に対応するセンサを備え、
前記受電機器は、複数種類の照明態様のうち前記制御内容に対応する照明態様を実現する照明手段を含み、
前記制御ユニットの受付手段は、前記センサが取得したデータに基づいて生成された制御要求を受け付ける
請求項１または請求項２記載の制御システム。
【請求項４】
前記受電機器に対応するセンサを備え、
前記受電機器は、複数種類の空調態様のうち前記制御内容に対応する空調態様を実現する空調手段を含み、
前記制御ユニットの受付手段は、前記センサが取得したデータに基づいて生成された制御要求を受け付ける
請求項１または請求項２記載の制御システム。
【請求項５】
前記受電機器の識別情報と、受電機器の現状と、前記制御ユニットの識別情報とを対応付けて記憶する記憶手段と、
前記制御ユニットに対して前記記憶手段に記憶された受電機器の現状を通知する通知手段とを含む管理ユニットを備える
請求項１から請求項４のうち何れかに記載の制御システム。
【請求項６】
ユーザからの前記受電機器に対する制御要求を受け付けるための操作画面を表示する表示手段と、
該表示手段により表示された操作画面を介して入力された制御要求を前記制御ユニットに送信する送信手段とを含む操作機器を備える
請求項１から請求項５のうち何れかに記載の制御システム。
【請求項７】
前記制御ユニットの送信手段は、パケットフォーマットとして、前記受電機器のＭＡＣアドレスと、前記制御内容に対応する制御データとを含むＭＡＣフレームを利用する
請求項１から請求項６のうち何れかに記載の制御システム。
【請求項８】
前記制御データは、複数段階に分けられた電力レベルのうち何れかの電力レベルを含み、
前記制御ユニットの生成手段は、前記識別情報として前記ＭＡＣアドレスを、前記制御内容として前記制御データを含む制御情報を生成する
請求項７記載の制御システム。
【請求項９】
受電機器を備えるＰｏＥ対応の制御システムに関する制御を行う制御ユニットであって、
前記受電機器に対する制御要求を受け付ける受付手段と、
該受付手段により受け付けられた制御要求に基づいて、前記受電機器の識別情報と、複数種類の制御内容のうち少なくとも１つの制御内容とを含む制御情報を生成する生成手段と、
該生成手段により生成された制御情報に含まれる前記制御内容を当該制御情報に含まれる識別情報に対応する前記受電機器に実行させるために、当該制御情報を当該受電機器に送信する送信手段とを含む
ことを特徴とする制御ユニット。
【請求項１０】
受電機器を備えるＰｏＥ対応の制御システムに関する制御を行う機能をコンピュータに実現させるための制御プログラムであって、
前記コンピュータに、
前記受電機器に対する制御要求を受け付ける受付機能と、
該受付機能により受け付けた制御要求に基づいて、前記受電機器の識別情報と、複数種類の制御内容のうち少なくとも１つの制御内容とを含む制御情報を生成する生成機能と、
該生成機能により生成した制御情報に含まれる前記制御内容を当該制御情報に含まれる識別情報に対応する前記受電機器に実行させるために、当該制御情報を当該受電機器に送信する送信機能とを
実現させるための制御プログラム。
【発明の詳細な説明】
【技術分野】
【０００１】
本発明は、受電機器と、制御ユニットとを備えるＰｏＥ対応の制御システム、制御ユニット、及び制御プログラムに関する。
【背景技術】
【０００２】
従来、Ｐｏｗｅｒ  ｏｖｅｒ  Ｅｔｈｅｒｎｅｔ（登録商標）（ＰｏＥ）は、ＬＡＮ上に接続される機器にＤＣ電力を給電するための仕組みとして広く利用されている（特許文献１参照）。
【先行技術文献】
【特許文献】
【０００３】
【特許文献１】特開２００６−０９４０１３号公報
【発明の概要】
【発明が解決しようとする課題】
【０００４】
ＰｏＥを利用して照明などの機器を制御する場合、例えば、給電機器（給電を行う機器。ＰＳＥ：Ｐｏｗｅｒ  ｓｏｕｒｃｉｎｇ  ｅｑｕｉｐｍｅｎｔ）に対して給電のＯｎ／Ｏｆｆを行う方法や、ＩＰなどの汎用プロトコルを利用して接続されている受電機器（受電を行う機器。ＰＤ：Ｐｏｗｅｒｅｄ  ｄｅｖｉｃｅ）に制御信号を送る方法が考えられる。【０００５】
しかし、給電機器に対して給電のＯｎ／ＯＦＦを行う方法では、単純なＯｎ／Ｏｆｆしか送ることが出来ないという課題があった。また、給電機器側の受電のＯｎ／Ｏｆｆのスイッチ速度が遅いため、迅速な機器のＯｎ／Ｏｆｆができない場合があるという課題があった。また、汎用プロトロコルを利用する方法では、Ｏｎ／Ｏｆｆ以外の電力制御信号も送ることができる一方で、受電機器側にＩＰプロトコルなどの複雑なネットワークの実装が必要となり、ＰＤ側に処理能力の高いＣＰＵや大きなメモリが必要になり、コストが過大になる場合があるという課題があった。このような課題は、Ｏｎ／Ｏｆｆや強弱を段階的に変化させるだけのような機器（例えば、照明や空調など制御方法が比較的単純な機器）を利用する場合に問題になる。そして、こうした問題は、ＰｏＥの給電能力は年々大きくなっているにもかかわらず単純機器へのＰｏＥの普及が進んでいない原因とも考えられる。【０００６】
本発明は、上記の課題を解決すべく、ＰｏＥの利便性を向上させることができるようにすることを目的とする。
【課題を解決するための手段】
【０００７】
本発明に係る制御システムは、受電機器と、制御ユニットとを備えるＰｏＥ対応の制御システムであって、前記制御ユニットは、前記受電機器に対する制御要求を受け付ける受付手段と、該受付手段により受け付けられた制御要求に基づいて、前記受電機器の識別情報と、複数種類の制御内容のうち少なくとも１つの制御内容とを含む制御情報を生成する生成手段と、該生成手段により生成された制御情報を、当該制御情報に含まれる識別情報に対応する前記受電機器に送信する送信手段とを含み、前記受電機器は、前記制御ユニットの送信手段により送信された制御情報を受信する受信手段と、該受信手段により受信された前記制御情報に含まれる前記制御内容を実行する実行手段とを含むことを特徴とする。【０００８】
上記の構成としたことで、ＰｏＥの利便性を向上させることができるようになる。【０００９】
前記受電機器に給電する給電機器を備え、該給電機器は、前記受電機器と前記制御ユニットとを接続する通信ケーブルを利用して当該受電機器に電力を供給する構成とされていてもよい。【００１０】
前記受電機器に対応するセンサを備え、前記受電機器は、複数種類の照明態様のうち前記制御内容に対応する照明態様を実現する照明手段を含み、前記制御ユニットの受付手段は、前記センサが取得したデータに基づいて生成された制御要求を受け付ける構成とされていてもよい。【００１１】
前記受電機器に対応するセンサを備え、前記受電機器は、複数種類の空調態様のうち前記制御内容に対応する空調態様を実現する空調手段を含み、前記制御ユニットの受付手段は、前記センサが取得したデータに基づいて生成された制御要求を受け付ける構成とされていてもよい。【００１２】
前記受電機器の識別情報と、受電機器の現状と、前記制御ユニットの識別情報とを対応付けて記憶する記憶手段と、前記制御ユニットに対して前記記憶手段に記憶された受電機器の現状を通知する通知手段とを含む管理ユニットを備える構成とされていてもよい。【００１３】
前記ユーザからの前記受電機器に対する制御要求を受け付けるための操作画面を表示する表示手段と、該表示手段により表示された操作画面を介して入力された制御要求を前記制御ユニットに送信する送信手段とを含む操作機器を備える構成とされていてもよい。【００１４】
前記制御ユニットの送信手段は、パケットフォーマットとして、前記受電機器のＭＡＣアドレスと、前記制御内容に対応する制御データとを含むＭＡＣフレームを利用する構成とされていてもよい。【００１５】
前記制御データは、複数段階に分けられた電力レベルのうち何れかの電力レベルを含み、前記制御ユニットの生成手段は、前記識別情報として前記ＭＡＣアドレスを、前記制御内容として前記制御データを含む制御情報を生成する構成とされていてもよい。【００１６】
また、本発明に係る制御ユニットは、受電機器を備えるＰｏＥ対応の制御システムに関する制御を行う制御ユニットであって、前記受電機器に対する制御要求を受け付ける受付手段と、該受付手段により受け付けられた制御要求に基づいて、前記受電機器の識別情報と、複数種類の制御内容のうち少なくとも１つの制御内容とを含む制御情報を生成する生成手段と、該生成手段により生成された制御情報に含まれる前記制御内容を当該制御情報に含まれる識別情報に対応する前記受電機器に実行させるために、当該制御情報を当該受電機器に送信する送信手段とを含むことを特徴とする。【００１７】
さらに、本発明に係る制御プログラムは、受電機器を備えるＰｏＥ対応の制御システムに関する制御を行う機能をコンピュータに実現させるための制御プログラムであって、前記コンピュータに、前記受電機器に対する制御要求を受け付ける受付機能と、該受付機能により受け付けた制御要求に基づいて、前記受電機器の識別情報と、複数種類の制御内容のうち少なくとも１つの制御内容とを含む制御情報を生成する生成機能と、該生成機能により生成した制御情報に含まれる前記制御内容を当該制御情報に含まれる識別情報に対応する前記受電機器に実行させるために、当該制御情報を当該受電機器に送信する送信機能とを実現させるためのものである。
【発明の効果】
【００１８】
本発明によれば、ＰｏＥの利便性を向上させることができるようになる。
【図面の簡単な説明】
【００１９】
【図１】制御システムの構成例を示すブロック図である。
【図２】制御ユニットの構成例を示すブロック図である。
【図３】管理ユニットの構成例を示すブロック図である。
【図４】管理情報の格納状態の例を示す説明図である。
【図５】受電機器の構成例を示すブロック図である。
【図６】制御処理の例を示すフローチャートである。
【図７】制御システムの構成例を示すブロック図である。
【図８】設定情報の格納状態の例を示す説明図である。
【図９】制御処理の例を示すフローチャートである。
【図１０】制御システムの構成例を示すブロック図である。
【発明を実施するための形態】
【００２０】
以下、本発明の実施の形態の例について図面を参照して説明する。なお、重複説明や公知技術の説明など、その記載を省略している場合がある。
【００２１】
［第１の実施の形態］
図１は、本発明の一実施の形態における制御システム１００の構成例を示すブロック図である。制御システム１００は、受電機器と、制御ユニットとを備えるＰｏＥ対応の制御システムである。図１に示すように、制御システム１００は、制御ユニット１０と、給電機器２０と、管理ユニット３０と、受電機器４０と、操作機器５０とを備える。なお、制御システム１００の構成はこれに限定されず、例えば制御システム１００が、各構成要素を複数備える構成としてもよい。
【００２２】
制御ユニット１０は、受電機器４０に対して制御情報（あるいは、制御信号または制御データ）を送信する機能を有する。ここで、制御情報とは、受電機器４０の動作を制御するための情報である。
【００２３】
給電機器２０は、受電機器４０に対して給電する機能を有する。また、本例においては、給電機器２０は、制御ユニットから制御情報を受信し、受信した制御情報を受電機器４０に送信する機能を有する。より具体的には、給電機器２０は、受電機器４０と制御ユニット１０とを接続する通信ケーブルを利用して受電機器４０に電力を供給する。給電機器２０の例には、ＰＯＥ対応の通信機器（例えば、ＬＡＮスイッチ）がある。
【００２４】
管理ユニット３０は、受電機器４０の管理を行う機能を有する。ここで、管理とは、管理ユニットに接続された受電機器４０の各種設定の記憶や更新を意味する。本例では、管理ユニット３０は、制御ユニット１０により送信された制御情報を受信し、受信した制御情報に基づいて受電機器４０を管理する。
【００２５】
受電機器４０は、制御ユニット１０により送信された制御情報を受信し、受信した制御情報に基づいて動作する機能を有する。本例では、受電機器４０は、管理ユニット３０を介して制御情報を受信する。
【００２６】
操作機器５０は、受電機器の動作に関するユーザ操作を受け付ける機能を有する。本例では、操作機器５０は、ユーザからの受電機器４０に対する制御要求を受け付けるための操作画面を自身が備える表示装置の表示画面に表示し、表示した操作画面を介して入力された制御要求を制御ユニット１０に送信する機能を有する。なお、操作画面を介して入力を受け付けるための構成は特に限定されず、タッチパネルを用いる構成としてもよいし、その他の入力機器を用いる構成としてもよい。
【００２７】
図２は、制御ユニット１０の構成例を示すブロック図である。制御ユニット１０は、受付部１１と、生成部１２と、送信部１３とを備える。
【００２８】
受付部１１は、受電機器４０に対する制御要求を受け付ける機能を有する。なお、制御要求を受け付けるための構成としては、ユーザ操作に応じた制御要求を受け付ける構成や、所定の判定条件を用いる構成など、種々の構成が考えられる。
【００２９】
生成部１２は、受付部１１により受け付けられた制御要求に基づいて、受電機器の識別情報と、複数種類の制御内容のうち少なくとも１つの制御内容とを含む制御情報を生成する機能を有する。本例では、受電機器の識別情報としてＭＡＣアドレスが用いられる場合を例にして説明する。ここで、ＭＡＣアドレスとは、ネットワーク機器としての受電機器を識別するための装置固有の物理アドレスを意味する。なお、制御内容の構成は特に限定されないが、設定の切り替えや出力の強弱変更など、比較的簡易な制御に関するものであることが好ましい。
【００３０】
送信部１３は、生成部１２により生成された制御情報を、当該制御情報に含まれる識別情報に対応する受電機器に送信する機能を有する。送信部１３が受電機器に制御情報を送信するための構成の例としては、受電機器のＭＡＣアドレスに対して制御情報をユニキャストあるいはマルチキャストを利用して送信する構成がある。
【００３１】
また、本例では、送信部１３が、パケットフォーマットとして、受電機器４０のＭＡＣアドレスと、制御内容に対応する制御データとを含むＭＡＣフレームを利用する場合を例にして説明する。ここで、制御データは、複数段階に分けられた電力レベル（例えば、０−１０）のうち何れかの電力レベルを含む。すなわち、本例では、生成部１２は、識別情報としてＭＡＣアドレスを、制御内容として制御データを含む制御情報を生成する。なお、パケットフォーマットはＭＡＣフレームを利用し、電力レベルを設定するフィールド（電力フィールド）があればどんなものでも利用可能である。また、制御データの実装としては、例えばＩＥＥＥ８０２．１ＡＢで規定されているＬＬＤＰのパケットのフォーマットを利用する方法も考えられる。
【００３２】
図３は、管理ユニット３０の構成例を示すブロック図である。管理ユニット３０は、記憶部３１と、通知部３２とを備える。
【００３３】
記憶部３１は、受電機器それぞれの識別情報と、受電機器の現状と、制御ユニットの識別情報とを対応付けて記憶する機能を有する。なお、記憶部３１に各種情報を記憶するための構成としては、管理ユニット３０と受電機器４０との通信により必要な情報を記憶する構成や、受電機器４０が備えるセンサにより検出された情報を受信することにより必要な情報を記憶する構成など、種々の構成が考えられる。
【００３４】
図４は、記憶部３１に記憶される情報（管理情報）の格納状態の例を示す説明図である。ここでは、制御システム１００が複数の受電機器を備える場合を例にして説明する。図４に示すように、管理情報は、複数の受援機器それぞれの識別情報と、各受電機器の現状（あるいは、ステータス）と、制御ユニットの識別情報と、最大設定電力値と、バージョン情報とを含む。
【００３５】
ここで、受電機器の現状とは、受電機器の制御に関連する状態を意味する。記憶部３１が記憶する受電機器の現状としては、受電機器の電源のＯｎ／Ｏｆｆや出力の強弱などが考えられる。
【００３６】
また、最大設定電力値やバージョン情報は、制御ユニット側が受電機器側に対する入力を調整するために参照するための情報である。
【００３７】
通知部３２は、制御ユニット１０に対して記憶部３１に記憶された受電機器４０の現状を通知する機能を有する。なお、通知部３２が受電機器４０の現状を通知するタイミングや頻度は特に限定されないが、制御ユニット１０が目的（例えば、消費電力の低下）に応じた制御を行うために有効なタイミングや頻度であることが好ましい。
【００３８】
図５は、受電機器４０の構成例を示すブロック図である。受電機器４０は、受信部４１と、実行部４２とを備える。
【００３９】
受信部４１は、制御ユニット１０により送信された制御情報を受信する機能を有する。
【００４０】
実行部４２は、受信部４１により受信された制御情報に含まれる制御内容を実行する機能を有する。実行部４２が制御内容を実行するための構成は特に限定されず、実行部４２が単独で制御内容に対応する処理を実行する構成としてもよいし、実行部４２が他の機器と協働して制御内容を実現する構成としてもよい。
【００４１】
次に、本例の制御システム１００の動作について説明する。なお、制御システム１００では、制御ユニット１０と受電機器４０との通信が給電機器２０や管理ユニット３０を介して行われる。しかし、説明を容易にするため、本例では給電機器２０及び管理ユニット３０の動作についての説明を省略している場合がある。
【００４２】
図６は、制御システム１００が実行する制御処理の例を示すフローチャートである。本例の制御処理では、制御ユニット１０により送信された制御情報に基づいて受電機器４０が動作するための処理が行われる。なお、本発明に関係しない処理については、その内容を省略している場合がある。
【００４３】
制御処理は、例えば制御システム１００の状態に応じて制御ユニット１０が制御要求を受け付け可能な状態になったことに応じて開始される。
【００４４】
制御ユニット１０は、制御処理において、先ず、制御要求を受け付ける（ステップＳ１０１）。本例では、制御ユニット１０は、受電機器４０の識別情報と制御内容とを提示した制御要求を操作機器５０から受け付ける。
【００４５】
制御ユニット１０は、制御要求を受け付けると、受け付けた制御要求に基づいて、発電機器の識別情報と、制御内容とを含む制御情報を生成する（ステップＳ１０２）。本例では、制御ユニット１０は、制御要求により指定された電力レベルを含む制御情報を生成する。
【００４６】
制御ユニット１０は、制御情報を生成すると、生成した制御情報を受電機器４０に送信する（ステップＳ１０３）。
【００４７】
受電機器４０は、制御ユニット１０により送信された制御情報を受信する（ステップＳ１０４）。本例では、制御ユニット１０により送信された制御情報は、給電機器２０及び管理ユニット３０を介して受電機器４０に到達する。
【００４８】
受電機器４０は、制御情報を受信すると、受信した制御情報に含まれる制御内容を実行して（ステップＳ１０５）、ここでの処理を終了する。本例では、受電機器４０は、制御情報に含まれる電力レベルに応じた出力を実現するための処理を実行する。なお、本例では、受電機器４０は、制御内容に対応する処理の実行中または実行後に、自身の状態に関する情報を管理ユニット３０に送信する。
【００４９】
以上に説明したように、上述した第１実施形態の例では、受電機器４０と、制御ユニット１０とを備えるＰｏＥ対応の制御システム１００において、制御ユニット１０が、受電機器４０に対する制御要求を受け付け（例えば、ステップＳ１０１）、受け付けた制御要求に基づいて、受電機器４０の識別情報と、複数種類の制御内容のうち少なくとも１つの制御内容とを含む制御情報を生成し（例えば、ステップＳ１０２）、生成した制御情報を、当該制御情報に含まれる識別情報に対応する受電機器４０に送信し（例えば、ステップＳ１０３）、受電機器４０が、制御ユニット１０により送信された制御情報を受信し（例えば、ステップＳ１０４）、受信した制御情報に含まれる制御内容を実行する（例えば、ステップＳ１０５）構成としているので、ＰｏＥの利便性を向上させることができるようになる。
【００５０】
すなわち、制御ユニットが所定の制御内容のうち何れかを含む制御情報を受電機器に送信する構成としているので、給電機器に対して給電のＯｎ／ＯＦＦを行う方法や汎用プロトロコルを利用する方法よりも単純な実装で、ＰｏＥ対応の制御システムを構成する受電機器を制御することができるようになる。
【００５１】
また、上述した第１実施形態の例では、制御システム１００が、受電機器４０に給電する給電機器２０を備え、給電機器２０が、受電機器４０と制御ユニット１０とを接続する通信ケーブル（例えば、ＬＡＮケーブル）を利用して当該受電機器に電力を供給する構成としているので、ＰｏＥ対応の制御システムを実現することができる。
【００５２】
なお、上述した第１実施形態の例では特に言及していないが、制御システム１００が、受電機器４０に対応するセンサ（例えば、受電機器と電気的に接続されたセンサ）を備え、受電機器４０が、複数種類の照明態様のうち制御内容に対応する照明態様を実現する照明手段（例えば、ＬＥＤ照明）を含み、制御ユニット１０が、センサが取得したデータに基づいて生成された制御要求を受け付ける構成としてもよい。この場合、センサは、例えば人感センサや光度センサなど、受電機器４０に関連するデータを取得するものであればよい。また、制御要求を生成する主体は特に限定されず、例えばセンサが生成した電気信号を制御ユニット１０が制御要求として用いる構成としてもよい。このような構成とすることで、例えば人の有無に応じた照明の自動Ｏｎ/Ｏｆｆを実現することができ、ＰｏＥの利便性を向上させることができるようになる。
【００５３】
なお、上述した第１実施形態の例では特に言及していないが、制御システム１００が、受電機器４０に対応するセンサ（例えば、受電機器と電気的に接続されたセンサ）を備え、受電機器４０が、複数種類の空調態様のうち制御内容に対応する空調態様を実現する空調手段（例えば、エア・コンディショナー）を含み、制御ユニット１０が、センサが取得したデータに基づいて生成された制御要求を受け付ける構成としてもよい。この場合、センサは、例えば人感センサや温度センサなど、受電機器４０に関連するデータを取得するものであればよい。このような構成とすることで、例えば温度の高低に応じて各種設定（例えば、暖房設定、冷房設定、温度設定）の自動制御を実現することができ、ＰｏＥの利便性を向上させることができるようになる。
【００５４】
また、上述した第１実施形態の例では、制御システム１００が、受電機器４０の識別情報と、受電機器４０の現状と、制御ユニット１０の識別情報とを対応付けて記憶する記憶部３１を含む管理ユニット３０を備え、管理ユニット３０が、制御ユニット１０に対して記憶部３１に記憶された受電機器４０の現状を通知する構成としているので、制御システムにフィードバック機能をもたせることができるようになる。
【００５５】
また、上述した第１実施形態の例では、制御システム１００が、ユーザからの受電機器に対する制御要求を受け付けるための操作画面を表示し、表示した操作画面を介して入力された制御要求を制御ユニット１０に送信する操作機器５０を備える構成としているので、ユーザ操作に応じて、制御ユニットを介して受電機器の状態を変更することができるようになる。
【００５６】
また、上述した第１実施形態の例では、制御ユニット１０が、パケットフォーマットとして、受電機器４０のＭＡＣアドレスと、制御内容に対応する制御データとを含むＭＡＣフレームを利用する構成としているので、単純な実装で受電機器を制御できるようになる。特に、制御データが、複数段階に分けられた電力レベルのうち何れかの電力レベルを含み、制御ユニット１０が、識別情報としてＭＡＣアドレスを、制御内容として制御データを含む制御情報を生成する構成としているので、単純な実装で電力レベルを制御できるようになる。すなわち、従来のＰＯＥを利用した電力制御のシステムではＬＡＮ上のデータに直接データパケットを送る方法ではなく、受電機器にＩＰの実装を行いそこに制御情報を実装していたため、単純な機器であっても高機能なＣＰＵやメモリが必要であった。しかしながら単純な電気製品では、電力レベルのみを伝達できれば良いため、ＬＡＮ上のＥｔｈｅｒｎｅｔ（登録商標）フレーム中に電力レベルを入れるフィールドを付加しこれを送ることで単純な実装で電力レベルを制御できるようになる。
【００５７】
［第２の実施の形態］
図７は、本発明の一実施の形態における制御システム２００の構成例を示すブロック図である。制御システム２００は、制御システム１００の構成に加え、設定情報ＤＢ６０を備える。
【００５８】
設定情報ＤＢ６０は、受電機器側の設定に関する情報（設定情報）を記憶する機能を有する。設定情報は、複数の受電機器の設定に関する情報を含むことが好適である。
【００５９】
図８は、設定情報ＤＢ６０に記憶される情報（設定情報）の格納状態の例を示す説明図である。ここでは、制御システム２００が複数の受電機器を備える場合を例にして説明する。図８に示すように、設定情報は、複数の受援機器それぞれの識別情報と、自動登録グループと、自動登録ＩＤとを含む。
【００６０】
ここで、自動登録グループとは、管理ユニット３０に自動登録させる受電機器のグループに関する情報を意味する。また、自動登録ＩＤとは、管理ユニット３０に自動登録させる受電機器のＩＤを意味する。
【００６１】
図９は、制御システム２００が実行する制御処理の例を示すフローチャートである。本例の制御処理では、管理ユニット３０自動設定に関する処理が行われる。なお、本発明に関係しない処理については、その内容を省略している場合がある。
【００６２】
制御処理は、例えば管理ユニット３０が所定の自動設定条件を満たしたことに応じて開始される。
【００６３】
管理ユニット３０は、制御処理において、先ず、給電機器２０に対して電力を要求する（ステップＳ２０１）。本例では、管理ユニット３０は、給電機器２０に対して、管理ユニット３０に接続された受電機器４０に対する給電を要求する。
【００６４】
給電機器２０は、管理ユニット３０からの給電要求を受け付けると、受け付けた給電要求に応じた給電を実行する（ステップＳ２０２）。本例では、給電機器２０、通信ケーブルを利用して、管理ユニット３０を介した受電機器４０への給電を行う。
【００６５】
次いで、管理ユニット３０は、制御ユニット１０に対して初期リクエストを送信する（ステップＳ２０３）。本例では、管理ユニット３０は、自身の識別情報を停止した設定情報の初期リクエストを、給電機器２０を介して制御ユニット１０に送信する。
【００６６】
制御ユニット１０は、管理ユニット３０からの初期リクエストを受け付けると、設定情報ＤＢ６０を参照して、最新の設定情報（最新情報）を管理ユニット３０に送信する（ステップＳ２０４）。
【００６７】
管理ユニット３０は、制御ユニット１０により送信された最新情報を受信すると、受信した最新情報に基づいて受電機器４０の状態を更新する（ステップＳ２０５）。本例では、管理ユニット３０は、先ず、受電機器４０に制御情報を送信する。そして、管理ユニット３０は、受電機器４０から受電機器４０の状態に関する情報を受信し、記憶部３１に記憶されている管理情報を更新する。すなわち、管理ユニット３０が受信した最新情報が受電機器４０の点灯状態を示す場合、管理ユニット３０は、受電機器４０を点灯させ、点灯した受電機器４０の状態を示す情報を取得する。
【００６８】
管理ユニット３０は、状態を更新すると、更新後の情報を制御ユニット０に送信する（ステップＳ２０６）。本例では、管理ユニット３０は、記憶部３１に記憶された管理情報を制御ユニット１０に送信する。
【００６９】
制御ユニット１０は、管理ユニット３０により送信された情報を受信すると、受信した情報に基づいて設定情報を更新する（ステップＳ２０７）。
【００７０】
制御ユニット１０は、設定情報を更新すると、制御情報を管理ユニット３０に送信する（ステップＳ２０８）。本例では、制御ユニット１０は、例えば更新後の設定情報が所定の制御要求発生条件を満たす場合に、当該制御要求発生条件に対応する制御要求を受け付けたと判定し、制御情報を生成する。制御要求発生条件の例としては、受電機器４０が所定時間以上点灯していることや、受電機器４０に対応する人感センサが人の不在を示していることなど、種々の内容が考えられる。
【００７１】
管理ユニット３０は、制御ユニット１０により送信された制御情報を受信すると、受信した制御情報に基づいて受電機器４０の状態を更新する（ステップＳ２０９）。例えば、受電機器４０が所定時間以上点灯しており、かつ対応する人感センサが人の不在を示している場合に対応する制御情報を受信した場合、管理ユニット３０は、受電機器４０を消灯させる。
【００７２】
管理ユニット３０は、受電機器４０の状態を更新すると、更新後の情報を制御ユニット１０に送信する（ステップＳ２１０）。
【００７３】
以上に説明したように、上述した第２実施形態の例では、制御ユニット１０と、管理ユニット３０と、受電機器４０と、受電機器側の設定に関する情報を記憶する設定情報ＤＢ６０とを備えた制御システム１００において、管理ユニット３０が初期状態で制御ユニット１０から最新の情報を取得する構成としているので、設定の自動登録と設定情報の提供、ステータスのフィードバックにより現状の保持が可能になる。すなわち、ユーザの操作によることなく、管理ユニット３０に設定情報ＤＢ６０に記憶された情報を反映させることができる。また、受電機器４０の状態に関する情報を設定情報ＤＢ６０に記憶される情報に反映させることができるので、制御ユニット１０が、設定情報ＤＢ６０を参照することで受電機器４０の現状を保持するための処理を行うことができるようになる。
【００７４】
また、上述した第２実施形態の例では特に言及していないが、管理ユニットからマルチキャストパケットを利用して現状の受電機器のステータスを制御ユニットにフィードバックすることで、制御ユニットに受電機器の状態（例えば、受電機器が照明機器である場合の照明状態）を伝達する構成としてもよい。この場合、ステータスとして、電力レベル（例えば、０−１０）、給電状態（例えば、 給電状態 Ａ系、Ｂ系、０＝給電なし、１＝給電中、−１＝エラー、最大設定状態（例えば、０−１０）、バージョン番号（例えば、００−ＦＦ）、稼働モード（例えば、０＝ノーマル、１＝試験モード）を提供する構成としてもよい。また、このような構成とすることにより、サーバに不具合等が生じた場合でもステータスが復旧したサーバに自動的にロードされるため引き続き利用することができる。
【００７５】
［第３の実施の形態］
図１０は、本発明の一実施の形態における制御システム３００の構成例を示すブロック図である。制御システム３００は、制御装置１１と、基幹ＬＡＮスイッチ２１と、複数のＰｏＥ対応ＬＡＮスイッチ２２，２３と、ＵＰｏＥ （Ｕｎｉｖｅｒｓａｌ  Ｐｏｗｅｒ  ｏｖｅｒ  Ｅｔｈｅｒｎｅｔ（登録商標））ユニット３１と、照明４１と、監視カメラ４２と、無線ＬＡＮアクセスポイント５１と、携帯端末５２と、ＩＰ電話５３と、パーソナルコンピュータ５４と、センサ／スイッチ制御ユニット７１と、Ｏｎ／Ｏｆｆスイッチ７２とを備える。
【００７６】
制御装置１１は、制御システム３００の照明４１の設定、管理、制御を行う機能を有する。制御装置１１は、制御システム全体に複数設けられていてもよい。制御装置１１は、ブラウザ経由で設定や管理を行うことができる。また、例えば携帯端末５２、ＩＰ電話５３、パーソナルコンピュータ５４等およびＬＡＮスイッチと連動して照明４１の電力使用量のモニタができる。また、このような構成とすることで、ネットワーク８０に接続されたブラウザから照明の制御を行えるようになる。
【００７７】
基幹ＬＡＮスイッチ２１は、ＰｏＥ対応ＬＡＮスイッチ２２，２３と連動することで、制御システム３００をＰｏＥ対応の制御システムとする機能を有する。
【００７８】
ＵＰｏＥユニット３１は、ＬＥＤ用の電力供給および制御を行う機能を有する。
機能を有する。
【００７９】
照明４１と、監視カメラ４２とは、それぞれＰｏＥ給電を受ける機能を有する。すなわち、照明４１と、監視カメラ４２とは、それぞれ制御信号を受け付ける通信ケーブルで受電する機能を有する。
【００８０】
センサ／スイッチ制御ユニット７１は、受電機器またはＬＡＮスイッチの電源のＯｎ／Ｏｆｆを制御する機能を有する。本例においては、センサ／スイッチ制御ユニット７１は、Ｏｎ／Ｏｆｆスイッチ７２からの制御信号に基づいて動作する。センサ／スイッチ制御ユニット７１は、スイッチやセンサを接続して、照明制御情報を制御装置１１に送る。Ｏｎ／Ｏｆｆスイッチ７２は、オルタネート型スイッチ（無電圧タイプ）やＯＮ／ＯＦＦタイプの各種センサ（例えば、人感センサや照度センサ）など、制御信号を生成するための構成を含む。なお、２線式スイッチのＯｎ／Ｏｆｆやセンサによる状態の変化が、そのままセンサ／スイッチ制御ユニット７１内部のリレーに伝えられる構成としてもよい。この場合、センサ／スイッチ制御ユニット７１は、その状態の変化の情報をＬＡＮスイッチ経由で制御装置１１に伝える。そして、制御装置１１は、その情報を元にスイッチやセンサと紐づけられているＵＰｏＥユニット３１に受電機器（本例においては、照明４１と監視カメラ４２）のＯｎ／Ｏｆｆ制御または照度制御を行わせる。
【００８１】
以上に説明したように、上述した第３実施形態の例では、制御システム３００において、照明４１や監視カメラ４２が、携帯端末５２やＩＰ電話５３やパーソナルコンピュータ５４などのブラウザ対応機器を介して制御できる構成とされているため、よりＰｏＥの利便性を向上させることができるようになる。
【００８２】
以上に説明したように、本願の各実施形態により、ＰｏＥの利便性を向上させることができるようになる。
【００８３】
なお、上述した各実施の形態では特に言及していないが、制御システムが、管理ユニットの電源投入時、サーバの一斉応答回避機能を有する構成としてもよい。すなわち、例えば第１実施形態の例において、管理ユニット３０の電源を投入直後は、給電機器２０に接続されている管理ユニット３０が一斉に制御ユニット１０にアクセスをするため、制御ユニット１０が一時的に高負荷となってしまう。これを避けるため、管理ユニット３０が、電源投入時（システムの初期状態）では、所定時間Ｕ（例えば、１―１０秒）の間でランダムな時間を待ち時間として遅延して制御ユニット１０にアクセスする構成としてもよい。このような構成とすることにより、初期電源投入時の応答は悪くなるが、初期状態での負荷を小さくすることができる。
【００８４】
なお、上述した各実施の形態では特に言及していないが、制御システムが、自動復旧機能を有する構成としてもよい。ただし、ＰｏＥ対応の制御システムでは、ユニット毎に設置要件が異なる場合があるため、各ユニットに応じた対応が必要となる。
【００８５】
制御システムにおける制御ユニットの自動復旧に関しては、待機側に移行する機能をもたせることが有効である。この場合、例えば管理ユニットが、所定規則に従って（例えば、定期的に）現在のステータスを、通常時に動作する制御ユニットと、待機系のユニットとにマルチキャストで送り続ける構成とし、待機系のユニットが、通常時に動作するユニットが所定条件を満たした際に制御を引き継ぐ構成としてもよい。なお、ここでの所定条件とは、自動復旧の要否を判定可能な内容であればよい。所定条件の例としては、故障を判定するための各種条件（故障判定条件）がある。
【００８６】
また、制御システムにおける受電機器の自動復旧に関しては、他の受電機器での相補的な補完を実現する機能をもたせることが有効である。この場合、例えば制御システムにおいて、制御ユニットが、複数の受電機器が相互補完する関係になるように制御情報を生成する構成としてもよい。すなわち、例えば制御システム３００において、制御装置１１が、照明４１の状態に応じて監視カメラ４２の状態を更新する（例えば、照明４１が点灯状態になったことに応じて監視カメラ４２をＯｎにする）制御を行う構成としてもよい。ＰｏＥ対応の制御システムにおいて、複数の受電機器が相互に補完する関係を構築することで、ＰｏＥの利便性を向上させることができる。
【００８７】
なお、上述した各実施形態では、制御システムの一部または全部の構成要素は、自己が備える記憶装置に記憶されている各種制御プログラムに従って、上述した各種の処理を実行する。また、制御システムの構成は上述した各実施形態の例として説明した構成に限定されず、例えば、ある構成要素の機能として説明した機能の一部または全部を他の構成要素が有する構成としてもよい。
【産業上の利用可能性】
【００８８】
本発明は、ＰｏＥの利便性を向上させるのに有用である。
【符号の説明】
【００８９】
１０        制御ユニット
１１        受付部
１２        生成部
１３        送信部
２０        給電機器
３０        管理ユニット
３１        記憶部
３２        通知部
４０        受電機器
４１        受信部
４２        実行部
５０        操作機器
６０        設定情報ＤＢ
１００      制御システム
【図１】
2015162646.tif 000003
【図２】
2015162646.tif 000004
【図３】
2015162646.tif 000005
【図４】
2015162646.tif 000006
【図５】
2015162646.tif 000007
【図６】
2015162646.tif 000008
【図７】
2015162646.tif 000009
【図８】
2015162646.tif 000010
【図９】
2015162646.tif 000011
【図１０】
2015162646.tif 000012
【国際調査報告】
2015162646.tif 000013
2015162646.tif 000014